(57)【要約】【課題】斜度や土質に対応して法面上を面状土止め材で被装し、枠型で面状土止め材を法面に圧接させることで土砂の流失や地滑りを確実に防止し、凍上を抑制して土砂の軟質化を防止し、更に法面の緑化にも用いることができる法面安定化構造物を提供する。【解決手段】枠材２は、棒状体３の長手方向に鉄芯６を挿通した構成してあり、棒状体３の下面に法面に係止する係止部５が略Ｖ字状に突出形成してある。複数本の枠材２は鉄芯６を連結具８に連結し、ナット７で締着することにより、法面に被装した面状土止め材上に枠型１を形成する。連結具８にアンカー１２を挿通して法面に打ち込むことにより枠型１を面状土止め材を介して法面に圧接固定する。【選択図】図３
2010150812.tif 000002
【特許請求の範囲】
【請求項１】
棒状体の長手方向に鉄芯を挿通してなる複数本の枠材と、前記鉄芯に係着して該各枠材を連結する連結具とにより、法面に被装した面状土止め材上に枠型を形成し、前記連結具にアンカーを挿通して前記法面に打ち込むことにより該枠型を前記面状土止め材を介して法面に圧接固定するようにしてなる法面安定化構造物。
【請求項２】
前記枠材は、前記棒状体の下面に前記法面に係止する係止部を突設したものであることを特徴とする請求項１記載の法面安定化構造物。
【請求項３】
前記連結具は、アンカー挿通孔を設けた底板と、該底板を囲繞するように設けられ、前記鉄芯の先端側が挿入する鉄芯連結部を有する側板と、前記底板から下向きに突出して前記法面に係止する係止部とから構成し、内側を充填部としてあることを特徴とする請求項１記載の法面安定化構造物。
【請求項４】
前記アンカーを挿入して前記法面に固定した連結具内は、硬化材を充填して固化させてあることを特徴とする請求項１記載の法面安定化構造物。
【請求項５】
前記枠型は、前記枠材と連結具により画成される枠内を植生部にすることを特徴とする請求項１記載の法面安定化構造物。
【請求項６】
前記枠材と連結具により画成される枠内には、対向する枠材間に補強材を架設することによって格子状補強体を設けてあることを特徴とする請求項１記載の法面安定化構造物。
【請求項７】
前記面状土止め材は、所望年数後に経年劣化する素材で成形してあることを特徴とする請求項１記載の法面安定化構造物。
【発明の詳細な説明】
【技術分野】
【０００１】
本発明は、法面における土砂の流失、地滑り、崩落等を防止し、また崩落や地滑り後の修復工事に用いることも、法面の緑化にも用いることができる法面安定化構造物に関する。
【背景技術】
【０００２】
図１９は従来の法面構造物１０１を示し、該法面構造物１０１は法面Ａ上に木材からなる枠材１０２を格子状の枠型に組み、法面Ａに打ち込むアンカー１０３で固定することにより、法面Ａの土砂流出を防止するものである。しかし、同図に示すように、法面Ａの土砂の流出や凍上等によって枠材１０２が浮き上がってアンカー１０３から抜け出る事態や、アンカー１０３が土圧によって抜け出るといった問題がある。そこで、本件出願人は、丸太等の木材に連結ロッドを挿通し、連結ロッドを連結体で連結して複数の枠型を法面上に形成し、該枠型によって法面の土砂の流失を防止することにより、草木を法面に確実に定着させて生育することができる法面枠体構成物を提案した（特許文献１）。
【特許文献１】第３６６６８５２号特許公報
【発明の開示】
【発明が解決しようとする課題】
【０００３】
上述した従来技術の法面構造物１０１は数年で法面保護機能が失われるという欠点がある。これに対し、法面枠体構成物は連結ロッドを連結体で組むことにより強度性が高く、法面表土の流失を防止し、また法面を緑化する効果に優れているが、法面の斜度や軟質土に対応したより一層法面の安定化を図ることができる有効な手段が求められている。
【０００４】
本発明は上述した従来技術の未解決の問題点に鑑みなされたもので、斜度や土質に対応して法面上を面状土止め材で被装し、枠型で面状土止め材を法面に圧接させることで土砂の流失や地滑りを確実に防止し、凍上を抑制して土砂の軟質化を防止し、更に法面の緑化にも用いることができる法面安定化構造物を提供することを目的とする。
【課題を解決するための手段】
【０００５】
上述した課題を解決するために構成された本発明の手段は、棒状体の長手方向に鉄芯を挿通してなる複数本の枠材と、前記鉄芯に係着して該各枠材を連結する連結具とにより、法面に被装した面状土止め材上に枠型を形成し、前記連結具にアンカーを挿通して前記法面に打ち込むことにより該枠型を前記面状土止め材を介して法面に圧接固定するようにするものからなる。
【０００６】
そして、前記枠材は、前記棒状体の下面に前記法面に係止する係止部を突設した構成にするとよい。
【０００７】
また、前記連結具は、アンカー挿通孔を設けた底板と、該底板を囲繞するように設けられ、前記鉄芯の先端側が挿入する鉄芯連結部を有する側板と、前記底板から下向きに突出して前記法面に係止する係止部とから構成し、内側を充填部としたものからなる。
【０００８】
更に、前記アンカーを挿入して前記法面に固定した前記連結具内は、硬化材を充填して固化させるとよい。
【０００９】
また、前記枠型は、前記枠材と連結具により画成される枠内を植生部にするとよい。
【００１０】
また、前記枠材と連結具により画成される枠内には、対向する枠材間に補強材を架設することによって格子状補強体を設けるとよい。
【００１１】
また、前記面状土止め材は、所望年数後に経年劣化する素材で成形するとよい。
【発明の効果】
【００１２】
本発明は以上詳述した如く構成したから、下記の諸効果を奏する。
（１）鉄芯により枠材を連結具に連結して構成した枠型により、面状土止め材を法面に圧接し、連結具はアンカーにより法面に固定するようにしたから、法面を面状土止め体が抑え込むことで降雨や凍上による法面での土砂の流失、地滑り、崩落などを確実に防止することができる。また土砂が流失した法面に土砂を埋め戻して定着させる修復にも用いることができる。
（２）枠材は法面に係止する係止部を突設したから、面状土止め材を法面に対して密着させると共に、枠材自体も法面に対する係止力が高まることから、法面の土砂の移動を抑制して安定化を図ることができる。
（３）連結具は枠材の鉄芯を連結して枠型を構成し、かつ法面に係止する係止部が設けてあるから、枠型は強度性に優れていると共に、面状土止め材を法面に密着させることができるから、法面の凍上や土砂崩れを防止することができる。
（４）アンカーを挿入した連結具内に硬化材を充填して固化させることにより、鉄芯と連結具の係合を強化すると共に、地盤の変動や凍上に対するアンカーの対抗力を強化し、耐久性を向上するようにしたから、枠型は長期間にわたって法面を確実に押圧することができる。
（５）枠型は枠内が植生部になるから、法面の緑化を促進することができるし、法面上の枠型が経年と共に植物によって隠されるので景観を向上できる。また、植物の生育により法面の土砂の定着を高めることができる。
（６）枠材と連結具により画成される枠内に格子状補強体を設けたから、枠型の強度性を高めて変形を防止することができると共に、面状土止め材の浮上りを防止して耐久性を高めることができ、また法面上の浮石を押さえ込むことで落石を防止することができる。
（７）面状土止め材は、所望年数後に経年劣化する素材で成形してあるから、植物の成長を阻害することがないし、景観の向上にも資する。
【発明を実施するための最良の形態】
【００１３】
以下、本発明の実施の形態を図面に基づき詳述する。図１乃至図１０は第１の実施の形態を示す。図１乃至図８において、１は法面Ａ上に設置した枠型、２は該枠型１を構成する複数本の枠材を示す。３は該各枠材２を構成する長尺の棒状体で、該棒状体３は材料に例えば間伐材等の木材、古紙等を圧縮固化した再生材、分解性合成樹脂材を用いており、上、下面３Ａ、３Ｂと、側面３Ｃ、３Ｃと、両端面３Ｄ、３Ｄを有する縦断面四角形の長尺の棒状に成形したものからなる。４は該棒状体３の略中心に位置して長手方向に穿設され、棒状体３の各端面３Ｄに開口した貫通穴である。
【００１４】
５、５、・・・は法面Ａに係止することで前記枠型１が法面Ａからズレ落ちする事態を防止し、後述するシート１３を法面Ａに密着させることで土砂の流出や地滑りを防止するための係止部を示すし、該係止部５は棒状体３の下面３Ｂを切削等の加工により複数の略三角形状の突起状に形成してある。なお、係止部５は間隔を設けずに鋸歯状に連続させて形成してもよいし、棒状体３の下面３Ｂに突起状の係止部を点在させて設けてもよい。
【００１５】
６は各棒状体３の貫通穴４に挿通した鉄芯を示し、該鉄芯６の外面には全長にわたって雄ねじ部６Ａが刻設してあり、棒状体３の両端３Ｄから突出する雄ねじ部６Ａにナット７を螺合するようになっている。なお、雄ねじ部６Ａは鉄芯６の両端側にのみ刻設してもよい。
【００１６】
かくして、本実施の形態に係る枠材２は、両端面３Ｄに開口する貫通穴４を長手方向に穿設した棒状体３と、該棒状体３の下面３Ｂに設けた係止部５と、棒状体３の貫通穴４に挿通した鉄芯６と、該鉄芯６の軸方向両端側に螺合するナット７、７とから構成してある。
【００１７】
８は前記鉄芯６を介して複数本の枠材２を十字状やＴ字状に連結するための金属製の連結具を示す。該連結具８は中央にアンカー挿通穴９Ａを穿設した略四角形の底板９と、該底板９Ａの４辺から起立し、中央に鉄芯連結部としての鉄芯挿通穴１０Ａを穿設した側板１０と、該側板１０から下向きに突設した爪状の複数の係止部１１とから構成し、内部は充填部８Ａになっている。
【００１８】
連結具８は上述の構成からなり、各側板１０の鉄芯挿通穴１０Ａに鉄芯６を挿入して雄ねじ部６Ａにナット７を螺合することにより、連結具８を介して複数の枠材２、２、・・・を十字状に連結し、碁盤の目状の枠型１を構成し、枠材２と連結具８によって画成される枠１Ａ内は植生部Ｂにすることができる。
【００１９】
１２は前記連結具８を法面Ａに固定するための鍔付アンカーを示す。該鍔付アンカー１２はアンカー本体１２Ａと、該アンカー本体１２Ａの上端側に固着した円板状の鍔１２Ｂとから構成してあり、鍔１２Ｂが連結具８の底板９に当接することで連結具８を法面Ａ方向に押圧する。
【００２０】
次に、１３は法面Ａ上に被装することにより法面Ａの土砂を面状に押さえ込む面状土止め材としてのシートを示す。該シート１３は植物繊維、分解性合成樹脂繊維、金属線を編成して構成することにより、草木が法面Ａに定着して安定性を得る５〜７年頃には、経年腐食により次第に消失することで草木の生長を妨げることなく法面Ａの安定化を図ることができる。なお、シート１３に替えて同様の素材からなる網体を被装してもよい。また、木材チップを面状に伸展して接着剤により固化することによりシート状に形成したものを用いてもよい。
【００２１】
本実施の形態は上述の構成からなり、法面Ａにシート１３を被装し、その上に枠型１を形成する。枠型１の形成は、予め工場で連結具８に４本の枠材２を十字状の連結体に構成し、複数の連結体を製作して現場に搬送し、複数の連結体の鉄芯６を他の連結体の連結具８に連結する。このようにして、シート１３上に枠型１形成し、各連結具８のアンカー挿通穴９Ａに鍔付アンカー１２を挿通して法面Ａに打ち込むことで、枠型１を法面Ａに圧接固定する。この後、連結具８の充填部８Ａにモルタル等の硬化材１４を充填して固化させることで、鍔付アンカー１２が土圧により押上げられて法面Ａに対する押圧力、固定力が働かなくなるのを防止している。
【００２２】
このようにして、法面Ａをシート１３で面状に覆い、枠型１で上から押さえ込み、枠材２に設けた係止部５と連結具８に設けた係止爪１１がシート１３を法面Ａに食い込ませることで土砂の流出や崩落を確実に防止することができる。また、本実施の形態において、枠材２を構成する棒状材３が経年腐食により消失し、またシート１３が同様に消失した場合でも、鍔付アンカー１２で法面Ａに固定された連結具８が鉄芯６、６、・・・を格子状に連結して法面Ａを覆った状態になっているから、冬期における法面Ａの凍上を抑制し、また法面Ａの土砂崩れや地滑りを長期間にわたって防止することができる。また、枠材２と連結具８に複数の係止部５、１１を設けて法面Ａに対する係止力を高めたから、鍔付アンカー１２の長さを短く設定すること、使用する本数を少なくすることも可能になり、アンカーの打ち込み作業を効率化することができる。
【００２３】
更に、枠材２と連結具８によって画成される枠内は、図８に示すように土を入れて植生部Ｂにすることで法面Ａを緑化し、枠型１を植物から隠して景観を向上することができる。
【００２４】
更に、図９及び図１０は本実施の形態の変形例を示し、図９は４本の枠材２、２、・・と４個の連結具８、８、・・によって画成した枠１Ａ内に、格子状補強体１５を設けた構成を示す。該格子状補強体１５は対向する枠材２，２に穿設した挿通穴に丸棒鋼材からなる補強材１５Ａ、１５Ａを挿入し、ナットを締着して架設することにより構成してある。
【００２５】
図１０は枠型１の枠１Ａ内に木製の格子状補強体１６を設けた構成を示し、該格子状補強体１６は木製の帯状板１６Ａを格子状に組み、枠材２、２、・・間に嵌合して釘等で固定したものである。なお、これら格子状補強体１５、１６は枠型１の全ての枠１Ａ内に設けてもよいし、斜度が急な箇所、浮石等が散在している箇所に対応する枠１Ａ内に設けてもよい。
【００２６】
上述のように枠型１の各枠１Ａ内に鉄製或いは木製の格子状補強体１５、１６を設けることにより、枠型１は強度性が高くなって変形を防止することができるし、風によるシート１３の浮上りを防止して耐久性を持たせることができる。また、格子状補強体１５、１６は法面Ａ上の浮石を押え込むことで落石を防止することができる。
【００２７】
次に、図１１及び図１２は第２の実施の形態を示す。なお、本実施の形態及び後述する他の実施の形態において、第１の実施の形態の構成要素と同一の構成要素には同一の符号を付して援用し、その説明を省略する。図において、２１は鉄芯６を連結する金属製の連結具で、該連結具２１は略四角形の平板からなり、中央にアンカー挿通穴２２Ａが穿設してある底板２２と、該底板２２の４辺を囲繞するように固着され、中央に鉄芯挿通穴２３Ａが穿設してある側板２３、２３、・・と、該各側板２３の下端に形成した鋸歯状の係合部２４、２４、・・・とから構成し、内部は充填部２１Ａになっている。
【００２８】
連結具２１は上述の構成からなり、各側板２３に係止部２４を一体に設けたので強度性、製作コストの点で優れている。連結具２１は各側板２３に鉄芯６を介して枠材２を連結することにより枠型１を構成し、鍔付アンカー１３で法面Ａに固定した後、充填部２１Ａにモルタルを充填し固化させる。    
【００２９】
図１３は第３の実施の形態を示す。図において、３１は鉄芯６を連結する金属製の連結具で、該連結具３１は略四角形の平板からなり、中央にアンカー挿通穴３２Ａが穿設してある底辺３２と、該底板３２の４辺を囲繞するように固着され、中央に略Ｕ字状の鉄芯挿通溝３３Ａが穿設してある側板３３、３３、・・と、該各側板３３の下端に形成した鋸歯状の係合部３４、３４、・・・とから構成し、内部は充填部３１Ａになっている。
【００３０】
連結具３１は上述の構成からなり、係止部３４を側板３３に一体に形成してあるから強度性、製作コストに優れている。また、各側板３３に枠材２の鉄芯６を連結する場合、鉄芯６にナット７を予め緩く螺合した状態にして鉄芯挿通溝３３Ａに上方から挿嵌し、ナット７を締着することができるから、連結作業を効率的に行うことができる。
【００３１】
図１４及び図１５は第４の実施の形態を示す。図において、４１は鉄芯６を連結する金属製の連結具で、該連結具４１は略四角形の平板からなり、中央にアンカー挿通穴４２Ａを穿設し、鉄芯６が外縁に略コ字状の鉄芯逃げ溝４２Ｂが形成してある底辺４２と、該底板４２の４辺を囲繞するように固着され、中央に略逆Ｕ字状の鉄芯挿通溝４３Ａが穿設してある側板４３、４３、・・と、該各側板４３の下端に形成した鋸歯状の係合部４４、４４、・・・とから構成し、内部は充填部４１Ａになっている。
【００３２】
連結具４１は上述の構成からなり、枠材２の鉄芯６にナット７を予め嵌合した状態にし、連結具４１を上方から挿嵌することで効率的に連結することができる。また、第３の実施の形態と同様に強度性、製作コストに優れている。
【００３３】
図１６は第５の実施の形態を示す。図において、５１は鉄芯６を連結する金属製の連結具で、該連結具５１は略四角形の平板からなる底板５２と、該底板５２の中央に立設した四角形のアンカー挿通筒５３と、底板５２から上方に起立し、鉄芯挿通穴５４Ａが穿設してある側板５４と、底板５２から下方に屈曲形成された略三角形の係止部５５とから構成し、内部は充填部５１Ａになっている。５６は前記アンカー挿入筒５３に挿通する鍔付アンカーで、該鍔付アンカー５６はアンカー本体５６Ａと、該アンカー本体５６Ａの上端側に固着した四角形の鍔５６Ｂとから構成してある。
【００３４】
連結具５１は上述の構成からなり、四角形の１枚の鋼板に各辺から切り込みを形成して外側を上下に折り曲げることで、底板５２と側板５４と係止部５５を一体に、容易に形成することができる。また、鍔付アンカー５６はアンカー挿入筒５３によって支持することにより、横方向の外力に抗するようにし、連結具５１の充填部５１Ａにモルタルを充填することでアンカー挿入筒５３を補強するようにしたから、鍔付アンカー５６の浮上りの防止と横方向からの外力に対する強度性を持たせることができる。
【００３５】
更に、図１７及び図１８は第６の実施の形態を示す。図において、６１は枠材２を連結する金属製の連結具で、該連結具６１は略四角形の平板からなり、中央に図示しないアンカー挿通穴６２Ａが穿設してある底板６２と、該底板６２を囲繞し、かつ互いにＴ字状に付き合わせた横長長方形の平板からなり、突出端側に鉄芯挿通穴６３Ａが穿設してある側板６３、６３、・・とから構成し、内部は充填部６１になっている。
【００３６】
連結具４１は上述の構成からなり、２枚の側板４３が枠材２に対して略Ｌ字状に当接し、かつ各鉄芯６が側板６３と２本の枠材２、２に挿通して締結した構成にしてあるから、枠型１は高い強度性を有している。
【００３７】
なお、連結具８、２１、３１、４１は鋼板の他、パンチングメタル、エキスパンドメタル等で製作してもよい。
【図面の簡単な説明】
【００３８】
【図１】図１乃至図１０は本発明の第１の実施の形態に係り、図１は枠材の外観斜視図である。
【図２】枠材の縦断面図である。
【図３】枠材と連結具を一部を破断して示す斜視図である。
【図４】連結具の底面図である。
【図５】シート上に形成した枠型の部分平面図である。
【図６】図５中のＶＩ−ＶＩ矢示方向断面図である。
【図７】法面に法面安定化構造物を敷設した状態の説明図である。
【図８】法面安定化構造物の使用状態を示す部分断面図である。
【図９】枠内に格子状補強体を設けた枠型の部分斜視図である。
【図１０】枠内に他の格子状補強体を設けた枠型の部分斜視図である。
【図１１】図１１及び図１２は第２の実施の形態に係り、図１１は連結具の一部を破断して示す斜視図である。
【図１２】連結具の縦断面図である。
【図１３】第３の実施の形態に係る連結具の構成説明図である。
【図１４】図１４及び図１５は第４の実施の形態に係り、図１４は連結具の構成説明図である。
【図１５】連結具の平面図である。
【図１６】第５の実施の形態に係る連結具の斜視図である。
【図１７】図１７及び図１８は第６の実施の形態に係り、図１７は連結具の斜視図である。
【図１８】枠材を連結した連結具の平面図である。
【図１９】従来技術の法面構造物の崩壊を示す説明図である。
【符号の説明】
【００３９】
１        枠型
１Ａ      枠
２        枠材
３        棒状体
５        係止部
６        鉄芯
８        連結具
９        底板
９Ａ      アンカー挿通穴
１０      側板
１０Ａ    鉄芯挿嵌穴
１１      係止部
１２      鍔付アンカー
１３      シート（面状土止め材）
１４      モルタル（硬化材）
１５、１６  格子状補強体
Ａ        法面
Ｂ        植生部
【図１】
2010150812.tif 000003
【図２】
2010150812.tif 000004
【図３】
2010150812.tif 000005
【図４】
2010150812.tif 000006
【図５】
2010150812.tif 000007
【図６】
2010150812.tif 000008
【図７】
2010150812.tif 000009
【図８】
2010150812.tif 000010
【図９】
2010150812.tif 000011
【図１０】
2010150812.tif 000012
【図１１】
2010150812.tif 000013
【図１２】
2010150812.tif 000014
【図１３】
2010150812.tif 000015
【図１４】
2010150812.tif 000016
【図１５】
2010150812.tif 000017
【図１６】
2010150812.tif 000018
【図１７】
2010150812.tif 000019
【図１８】
2010150812.tif 000020
【図１９】
2010150812.tif 000021